(57)【要約】【課題】レンジで火災が発生した場合又は火災が発生しかけている場合に迅速に消火・防火することができ、更にはフライパンの取っ手等の影響を受けずに消火・防火することができる消火・防火装置を得る。【解決手段】レンジ１６が載置されるレンジ台１０の上部周縁部にはエアバッグ４４が折り畳み状態で収納されており、火炎５０や煙５２を検知すると、コントローラ３０によってインフレータ４２が作動し、エアバッグ４４が矩形筒状に立ち上がり、レンジフード２０の下端部に磁石４６で吸着されるようになっている。その後、消火器３２から消火剤３６が放出されることで、消火・防火がなされる。【選択図】図１
2009172307.tif 000002
【特許請求の範囲】
【請求項１】
非作動時には所定の収納位置に収納されると共に作動時にはレンジ面を含む所定区画の周縁部から天井へ向けて立ち上げられて自ら又はレンジ周囲の壁面と共働して当該所定区画を略包囲する所定高さのレンジ区画防火壁を形成する防火壁形成手段を備えた、
ことを特徴とする消火・防火装置。
【請求項２】
前記レンジ区画防火壁は縦断面形状が略Ｌ字状とされており、
かつ当該レンジ区画防火壁の底部はレンジ面から連続してかつレンジ面の外側へ向けて略水平に延在されている、
ことを特徴とする請求項１記載の消火・防火装置。
【請求項３】
前記レンジ区画防火壁によって区画された空間に不活性ガスを放出する不活性ガス放出手段を備えている、
ことを特徴とする請求項１又は請求項２記載の消火・防火装置。
【請求項４】
前記レンジ区画防火壁は、耐熱防火材料で形成されたエアバッグによって構成されている、
ことを特徴とする請求項１〜請求項３のいずれか１項に記載の消火・防火装置。
【請求項５】
火炎を検知する火炎検知手段及び煙を検知する煙検知手段の少なくとも一方を備えていると共に、当該火炎検知手段による火炎の検知及び当該煙検知手段による煙の検知の少なくとも一方がなされた場合に前記防火壁形成手段を作動させる制御手段を備えている、
ことを特徴とする請求項１〜請求項４のいずれか１項に記載の消火・防火装置。
【請求項６】
前記レンジ区画防火壁は、少なくともレンジでの火災発生時の平均的な火炎の高さ以上立ち上がる、
ことを特徴とする請求項１〜請求項５のいずれか１項に記載の消火・防火装置。
【請求項７】
前記レンジ区画防火手段は、前記レンジ周囲の壁面と共働してレンジ区画防火壁を形成し、
当該レンジ区画防火壁と前記壁面との間には、レンジ区画防火壁の外部からレンジ区画防火壁の内部への空気の流通を遮蔽する第１の空気遮蔽手段が設けられている、
ことを特徴とする請求項１〜請求項６のいずれか１項に記載の消火・防火装置。
【請求項８】
前記レンジ面の下方には、レンジ面に設けられた貫通孔からレンジ区画防火壁の内部への空気の流通を遮蔽する第２の空気遮蔽手段が設けられている、
ことを特徴とする請求項１〜請求項７のいずれか１項に記載の消火・防火装置。
【発明の詳細な説明】
【技術分野】
【０００１】
本発明は、レンジでの火災に対する消火・防火装置に関する。
【背景技術】
【０００２】
下記特許文献１には、レンジ上方に設けられた消火装置内にパラシュートが折り畳み状態で収納されており、温度センサによってレンジでの火災が検知された場合に、パラシュートを放出し、レンジを覆う技術が開示されている。
【特許文献１】特開２００５−３２３８１１号公報
【特許文献２】特開２００６−２１２２０５号公報
【特許文献３】特開平１１−１６９４７４号公報
【発明の開示】
【発明が解決しようとする課題】
【０００３】
しかしながら、上記先行技術による場合、パラシュートの下方に隙間ができるため、酸素が供給され続け、消火に手間取るという課題があった。
【０００４】
また、パラシュートがフライパンの取っ手等に引っ掛かり、パラシュートがレンジを上手く覆わないか、或いはフライパン等をひっくり返してしまうという課題もあった。
【０００５】
本発明は上記事実を考慮し、レンジで火災が発生した場合又は火災が発生しかけている場合に迅速に消火・防火することができ、更にはフライパンの取っ手等の影響を受けずに消火・防火することができる消火・防火装置を得ることが目的である。
【課題を解決するための手段】
【０００６】
請求項１の発明に係る消火・防火装置は、非作動時には所定の収納位置に収納されると共に作動時にはレンジ面を含む所定区画の周縁部から天井へ向けて立ち上げられて自ら又はレンジ周囲の壁面と共働して当該所定区画を略包囲する所定高さのレンジ区画防火壁を形成する防火壁形成手段を備えた、ことを特徴とする。
【０００７】
請求項２の発明は、請求項１記載の消火・防火装置において、前記レンジ区画防火壁は縦断面形状が略Ｌ字状とされており、かつ当該レンジ区画防火壁の底部はレンジ面から連続してかつレンジ面の外側へ向けて略水平に延在されている、ことを特徴とする。
【０００８】
請求項３の発明は、請求項１又は請求項２記載の消火・防火装置において、前記レンジ区画防火壁によって区画された空間に不活性ガスを放出する不活性ガス放出手段を備えている、ことを特徴とする。
【０００９】
請求項４の発明は、請求項１〜請求項３のいずれか１項に記載の消火・防火装置において、前記レンジ区画防火壁は、耐熱防火材料で形成されたエアバッグによって構成されている、ことを特徴とする。
【００１０】
請求項５の発明は、請求項１〜請求項４のいずれか１項に記載の消火・防火装置において、火炎を検知する火炎検知手段及び煙を検知する煙検知手段の少なくとも一方を備えていると共に、当該火炎検知手段による火炎の検知及び当該煙検知手段による煙の検知の少なくとも一方がなされた場合に前記防火壁形成手段を作動させる制御手段を備えている、ことを特徴とする。
【００１１】
請求項６の発明は、請求項１〜請求項５のいずれか１項に記載の消火・防火装置において、前記レンジ区画防火壁は、少なくともレンジでの火災発生時の平均的な火炎の高さ以上立ち上がる、ことを特徴とする。
【００１２】
請求項７の発明は、請求項１〜請求項６のいずれか１項に記載の消火・防火装置において、前記レンジ区画防火手段は、前記レンジ周囲の壁面と共働してレンジ区画防火壁を形成し、当該レンジ区画防火壁と前記壁面との間には、レンジ区画防火壁の外部からレンジ区画防火壁の内部への空気の流通を遮蔽する第１の空気遮蔽手段が設けられている、ことを特徴とする。
【００１３】
請求項８の発明は、請求項１〜請求項７のいずれか１項に記載の消火・防火装置において、前記レンジ面の下方には、レンジ面に設けられた貫通孔からレンジ区画防火壁の内部への空気の流通を遮蔽する第２の空気遮蔽手段が設けられている、ことを特徴とする。
【００１４】
請求項１記載の本発明によれば、防火壁形成手段の非作動時には、レンジ区画防火壁は所定の収納位置に収納されている。
【００１５】
この状態から防火壁形成手段が作動すると、レンジ面を含む所定区画の周縁部から天井へ向けて自ら又はレンジ周囲の壁面と共働して当該所定区画を略包囲する所定高さのレンジ区画防火壁が形成される。このため、レンジ区画防火壁が形成されないものに比べて、火元に酸素が供給され難くなる。従って、その分、火炎は拡がらず、消火し易くなる。ひいては、延焼を未然に防止することができる。
【００１６】
請求項２記載の本発明によれば、レンジ区画防火壁は縦断面形状が略Ｌ字状とされており、かつ当該レンジ区画防火壁の底部はレンジ面から連続してかつレンジ面の外側へ向けて略水平に延在されているため、レンジ面だけを区画する場合に比べて区画領域が拡がる。このため、例えば、フライパンの取っ手がレンジ面からはみ出している場合に、レンジ区画防火壁が立ち上がる際にフライパンの取っ手を引っ掛けるおそれがない。
【００１７】
請求項３記載の本発明によれば、レンジで火災が発生した場合や火災が発生しかけている場合、不活性ガス放出手段によって、レンジ区画防火壁によって区画された空間に不活性ガスが放出される。これにより、火元が不活性ガスに覆われ、酸素の供給が絶たれる。
【００１８】
請求項４記載の本発明によれば、レンジ区画防火壁が耐熱防火材料で形成されたエアバッグによって構成されているので、非作動時にレンジ区画防火壁を折り畳むことができる。
【００１９】
請求項５記載の本発明によれば、火炎を検知する火炎検知手段及び煙を検知する煙検知手段の少なくとも一方を備えていると共に、当該火炎検知手段による火炎の検知及び当該煙検知手段による煙の検知の少なくとも一方がなされた場合には、制御手段によって防火壁形成手段が作動される。従って、火炎が先に立ち上がるような火災（例えば、天ぷら油に引火したような場合）や火炎はまだ小さく煙が先に立ち昇るような火災（例えば、ガスコンロの消し忘れによって鍋等を空焚きしてしまっているような場合）のいずれにも対応できる。
【００２０】
請求項６記載の本発明によれば、レンジ区画防火壁は、少なくともレンジでの火災発生時の平均的な火炎の高さ以上立ち上がるので、火炎の拡がりを効果的に抑えることができる。
【００２１】
請求項７記載の本発明によれば、レンジ区画防火手段がレンジ周囲の壁面と共働してレンジ区画防火壁を形成するため、レンジ区画防火手段とレンジ周囲の壁面との接続部位から空気が流通する可能性がある。
【００２２】
しかし、本発明では、レンジ区画防火壁と壁面との間に第１の空気遮断手段を設けたので、レンジ区画防火壁の外部からレンジ区画防火壁の内部への空気の流通が遮蔽される。このため、前記接続部位での酸素の供給が絶たれるので、火炎が鎮火され易くなる。
【００２３】
請求項８記載の本発明によれば、通常レンジ面にはガスコンロ等のための貫通孔が形成されているため、この貫通孔から空気が流通し、酸素が供給されることが考えられる。
【００２４】
しかし、本発明では、レンジ面の下方に第２の空気遮断手段を設けたので、レンジ面に設けられた貫通孔からレンジ区画防火壁の内部への空気の流通が遮蔽される。このため、当該貫通孔からの酸素の供給が絶たれるので、火炎が鎮火され易くなる。
【発明の効果】
【００２５】
請求項１記載の本発明に係る消火・防火装置は、レンジで火災が発生した場合又は火災が発生しかけている場合に迅速に消火・防火することができるという優れた効果を有する。
【００２６】
請求項２記載の本発明に係る消火・防火装置は、レンジ面が比較的狭くフライパンの取っ手等がレンジ面からはみ出すような場合でも、フライパンの取っ手等の影響を受けずに消火・防火することができるという優れた効果を有する。
【００２７】
請求項３記載の本発明に係る消火・防火装置は、火災発生時又は火災が発生しかけている場合により迅速に消火・防火することができるという優れた効果を有する。
【００２８】
請求項４記載の本発明に係る消火・防火装置は、防火壁形成手段の非作動時におけるレンジ区画防火壁の収納性に優れているという優れた効果を有する。
【００２９】
請求項５記載の本発明に係る消火・防火装置は、火炎先行型の火災及び煙先行型の火災の両方に対応することができるという優れた効果を有する。
【００３０】
請求項６記載の本発明に係る消火・防火装置は、必要最小限のコストで消火或いは防火の実効性を担保できるという優れた効果を有する。
【００３１】
請求項７記載の本発明に係る消火・防火装置は、レンジ区画防火手段がレンジ周囲の壁面と共働してレンジ区画防火壁を形成する場合において、より一層迅速に消火・防火することができるという優れた効果を有する。
【００３２】
請求項８記載の本発明に係る消火・防火装置は、レンジ面に貫通孔が形成されている場合において、より一層迅速に消火・防火することができるという優れた効果を有する。
【発明を実施するための最良の形態】
【００３３】
〔第１実施形態〕
【００３４】
以下、図１及び図２を用いて、本発明に係る消火・防火装置の第１実施形態について説明する。
【００３５】
図１には、本実施形態に係る消火・防火装置の概念図が示されている。この図に示されるように、レンジ台１０はキッチン１２の一方の壁１４を背にして配置されている。レンジ台１０の上面にはレンジ１６が載置されており、更にレンジ１６の上面には複数のガスコンロ１８が配置されている。レンジ１６の上方にはレンジフード２０が一方の壁１４と天井面２２とに跨って配設されている。なお、一方の壁１４におけるレンジ１６とレンジフード２０との間の途中部分は、窓等の開口部２４とされている。
【００３６】
レンジフード２０内には、図示しない換気扇が設置されている他、消火・防火装置２６の一部を構成する火炎検知手段としての温度センサ２８、制御手段としてのコントローラ３０、及び消火器３２が配設されている。なお、コントローラ３０は、レンジフード２０外の任意の箇所に設置可能である。コントローラ３０には、温度センサ２８及び消火器３２が接続されている他、天井面２２におけるレンジフード２０から所定距離離れた位置に配設された煙検知手段としての火災検知器３４が接続されている。
【００３７】
消火器３２は、コントローラ３０からの作動信号によりバルブを開放して消火剤３６をレンジ１６側へ向けて放出するようになっている。なお、図１に示される実施形態では、液状の消火剤３６を（図１（Ｃ）参照）を用いたが、これに限らず、気泡状の消火剤３８（図２参照）を用いてもよい。
【００３８】
また、レンジ台１０の内部には、消火・防火装置２６の他の一部を構成するエアバッグ装置４０が内蔵されている。エアバッグ装置４０は、レンジ台１０の内部所定位置に配設されたガス発生手段であるインフレータ４２と、このインフレータ４２が作動して発生したガスによって矩形筒状に膨張展開されるエアバッグ４４と、を主要部として構成されている。インフレータ４２はコントローラ３０に接続されている。また、エアバッグ４４は、例えば、自動車のエアバッグ装置において使用されるエアバッグの基布と同一の耐熱防火材料で構成されており、又非作動時には平面視で矩形枠状に折り畳まれてレンジ台１０の内部上端側に収納されている。さらに、矩形筒状に膨張展開したエアバッグ４４の上端部には、適宜間隔で磁石４６が配設されている。磁石４６はレンジフード２０の下端部の金属面に吸着されて、エアバッグ４４の形状を膨張展開時の矩形筒状に保持している。その意味では、磁石４６はエアバッグ４４を膨張展開時の状態に保持する保持手段として把握される要素である。
【００３９】
なお、この実施形態では、レンジ１６がレンジ台１０の平面形状よりも一回り小さく、レンジ１６とレンジ台１０との間に形成された隙間４８を利用してエアバッグ４４を立ち上がらせるようにしたが、これに限らず、レンジ１６がレンジ台１０の平面形状と合致する大きさの場合には、レンジ１６の外周縁部（上面又は側面）からエアバッグ４４を立ち上げるようにしてもよい。さらに、昨今の多様化したシステムキッチン等では、外見上、レンジ１６とレンジ台１０とが一体化されたものもあることから、レンジ側にエアバッグ４４を収納してもよいし、レンジ台に相当する部分の方にエアバッグ４４を収納してもよい。なお、図示は省略しているが、エアバッグ４４が収納される側には、通常は閉止状態とされ、エアバッグ４４の膨張圧が所定値に達すると展開するエアバッグドア（エアバッグリッドともいう。）が配設されている。
【００４０】
（作用・効果）
【００４１】
次に、本実施形態の作用並びに効果について説明する。
【００４２】
図１（Ａ）に示されるように、レンジ１６のガスコンロ１８から火災が発生し、火炎５０及び煙５２が立ち昇ると、温度センサ２８で火炎５０が検知されると共に火災検知器３４で煙５２が検知される。これらの検知結果はコントローラ３０に検知信号として出力される。
【００４３】
図１（Ｂ）に示されるように、コントローラ３０では、温度センサ２８からの検知信号及び火災検知器３４からの検知信号に基づいて火災が発生したか否かを判断し、火災が発生したと判断すると、エアバッグ装置４０を作動させる。すなわち、エアバッグ装置４０のインフレータ４２に作動信号を出力し、所定の電流がインフレータ４２の点火装置に通電される。これにより、インフレータ４２が作動し、内部に充填されたガス発生剤が燃焼して大量のガスを発生する。発生したガスはインフレータ４２に形成されたガス噴出孔から折り畳み状態のエアバッグ４４内へ供給される。なお、ガス発生剤充填タイプのインフレータ４２に替えて、高圧封入タイプのインフレータを用いてもよく、その場合には、インフレータが作動することによりインフレータ内で高圧ガスを隔成している隔壁が破断し、高圧ガスがガス噴出孔から噴出される。
【００４４】
インフレータ４２によって発生したガスが折り畳み状態のエアバッグ４４内に供給されると、エアバッグ４４は瞬時にレンジフード２０側へ向けて矩形筒状に膨張展開される（立ち上げられる）。エアバッグ４４は完全に膨張すると、その上端部がレンジフード２０の下端部に達する。換言すると、完全に膨張展開したときのエアバッグ４４の高さをレンジ面５４からレンジフード２０の下端部までの高さに設定されている。そして、エアバッグ４４が完全に膨張展開されると、その上端部に固着された磁石４６がレンジフード２０の下端部に吸着されて、エアバッグ４４をその状態に保持する。これにより、レンジ面５４を含む上方空間がキッチン１２の他の空間から隔成されて、火元に酸素の供給が絶たれた閉鎖空間５６が形成される。
【００４５】
その後、図１（Ｃ）に示されるように、コントローラ３０によって消火器３２が作動されて、液状の消火剤３６又は気泡状の消火剤３８（図２参照）が火元であるガスコンロ１８に向けて放出される。これにより、極めて短時間で火災が消火される。
【００４６】
このように本実施形態では、火炎５０及び煙５２の少なくとも一方を検知した場合にエアバッグ装置４０を作動させて矩形筒状にエアバッグ４４を立ち上がらせ、火元を包囲するレンジ区画防火壁を形成するので、レンジ区画防火壁が形成されないものに比べて、火元に酸素が供給され難くなる。従って、その分、火炎５０は拡がらず、消火し易くなる。ひいては、延焼を未然に防止することができる。その結果、本実施形態によれば、レンジ１６で火災が発生した場合（又は火災が発生しかけている場合）に迅速に消火・防火することができる。また、火炎５０の拡がりを抑えることができるため、居住者等がガスのスイッチを容易にＯＦＦにできる。なお、補足すると、平成１８年度の消防庁の調査によると、キッチンは、火災発生原因の約１１％（火災発生原因の第２位）を占めており、キッチンでの出火時に迅速に消火すること、延焼を防止することは、極めて重要である。
【００４７】
また、本実施形態では、レンジ区画防火壁が耐熱防火材料で形成されたエアバッグ４４によって構成されているので、非作動時にはエアバッグ４４をコンパクトに折り畳むことができる。従って、非作動時におけるエアバッグ４４の収納性に優れている。
【００４８】
さらに、本実施形態では、火炎５０を検知する温度センサ２８及び煙を検知する火災検知器３４の両方を備えていると共に、火炎及び煙の少なくとも一方が検知された場合には、コントローラ３０によってエアバッグ装置４０が作動される。従って、火炎５０が先に立ち上がるような火災（例えば、天ぷら油に引火したような場合）や火炎５０はまだ小さく煙５２が先に立ち昇るような火災（例えば、ガスコンロの消し忘れによって鍋等を空焚きしてしまっているような場合）のいずれにも対応できる。よって、本実施形態によれば、火炎先行型の火災及び煙先行型の火災の両方に対応することができる。
【００４９】
また、本実施形態では、エアバッグ４４がレンジフード２０の下端部まで立ち上がるので、火炎５０の拡がりを確実に抑えることができる。その結果、本実施形態によれば、消火或いは防火の実効性を担保することができる。
【００５０】
〔第２実施形態〕
【００５１】
以下、図３及び図４を用いて、本発明に係る消火・防火装置の第２実施形態について説明する。なお、前述した第１実施形態と同一構成部分については、同一番号を付してその説明を省略する。
【００５２】
これらの図に示されるように、この第２実施形態に係る消火・防火装置６０では、エアバッグ６２の縦断面形状をＬ字形にした点、その高さを所定高さに設定した点、及び消火器６４から不活性ガス６６を噴出させる点に特徴がある。
【００５３】
具体的に説明すると、図３に示されるように、レンジ区画防火壁としてのエアバッグ６２は平面視でアングル状に形成されており、一方の壁１４と他方の壁７０の二面を使ってレンジ１６を包囲する区画を形成している。また、図４（Ａ）、（Ｂ）に示されるように、エアバッグ６２の縦断面形状はＬ字形に形成されており、レンジ面５４の外側に向けて略水平に延在する底部６２Ａと、この底部６２Ａの外周縁から所定高さＨだけ立ち上げられた立ち上がり部６２Ｂと、によって構成されている。
【００５４】
立ち上がり部６２Ｂの高さＨは、少なくともレンジ１６での火災発生時の平均的な火炎５０の高さ以上に設定されていればよく、本実施形態では、概ねレンジ面５４から８００ｍｍ程度に設定されている。補足すると、本発明における「レンジでの火災発生時の平均的な火炎の高さ」は、実験で求めたものを用いてもよいし、既に公表されているデータがあればそれを使ってもよく、前記の如く本実施形態では８００ｍｍ程度に設定している。
【００５５】
また、上記エアバッグ６２の両側部には磁石６８が取り付けられており、膨張展開時に一方の壁１４及び他方の壁７０に磁力で吸着されるようになっている。なお、一方の壁１４及び他方の壁７０のエアバッグ６２の両側部と対向する位置には、磁石６８が吸着可能な図示しない帯板状の金属製の薄板が取り付けられている。
【００５６】
さらに、不活性ガス放出手段としての消火器６４からは、空気より重い不活性ガス６６が噴出されるようになっている。なお、消火剤として使用し得る不活性ガスの種類としては、窒素（化学式；Ｎ２  ：１００％）、ＩＧ−５４１（化学式；Ｎ２＋Ａｒ＋ＣＯ２  ：５２％＋４０％＋８％）、ＩＧ−５５（化学式；Ｎ２＋Ａｒ  ：５０％＋５０％）、二酸化炭素（化学式；ＣＯ２  ：１００％）の４種類があるが、前三者が好ましい。補足すると、一般には、この種の不活性ガス消火設備は、電気室や美術館、電気通信機室等に設置されており、消火剤による汚損が少なく、復旧を早急にすることが必要な施設に設置される。消火原理は、防火区画内に消火剤である不活性ガスを放出し、酸素濃度を低下させて消火するというものである。
【００５７】
（作用・効果）
【００５８】
上記構成の消火・防火装置６０では、第１実施形態で説明した温度センサ２８又は火災検知器３４によって火炎５０又は煙５２が検知されると、コントローラ３０によってインフレータ４２に作動信号が出力される。これにより、大量のガスが発生し、エアバッグ６２が底部６２Ａ、立ち上がり部６２Ｂの順に膨張展開される。続いて、コントローラ３０によって消火器６４が作動され、不活性ガス６６が火元へ向けて放出される。これにより、火元が不活性ガス６６に覆われ、酸素の供給が絶たれ、火炎５０が鎮火される。
【００５９】
ここで、本実施形態では、エアバッグ６２の縦断面形状が略Ｌ字状とされており、かつ当該エアバッグ６２の底部６２Ａはレンジ面５４から連続してかつレンジ面５４の外側へ向けて略水平に延在されているため、レンジ面５４だけを区画する場合に比べて区画領域が拡がる。このため、例えば、フライパン７２の取っ手７２Ａがレンジ面５４からはみ出している場合に、エアバッグ６２が立ち上がる際にフライパン７２の取っ手７２Ａを引っ掛けるおそれがない。よって、本実施形態によれば、レンジ面５４が比較的狭くフライパン７２の取っ手７２Ａ等がレンジ面５４からはみ出すような場合でも、フライパン７２の取っ手７２Ａ等の影響を受けずに消火・防火することができる。
【００６０】
また、本実施形態では、消火器６４から火元へ不活性ガス６６が放出されるため、火元への酸素の供給が絶たれる。その結果、より迅速に消火・防火することができる。
【００６１】
さらに、本実施形態では、エアバッグ６２がレンジ１６の周囲の一方の壁１４及び他方の壁７０の二面と共働してレンジ区画防火壁を形成するため、エアバッグ６２の両側部と一方の壁１４及び他方の壁７０との接続部位から空気が流通する可能性がある。しかし、本実施形態では、エアバッグ６２の両側部に磁石６８を取り付け、一方の壁１４及び他方の壁７０に磁力で吸着されるようにしたので、エアバッグ６２の両側部と一方の壁１４及び他方の壁７０との間に隙間が殆ど生じないようにすることができる（接続部位を略密閉することができる。）。従って、エアバッグ６２の外部からエアバッグ６２の内部への前記接続部位からの空気の流通が遮蔽される。このため、前記接続部位での酸素の供給が絶たれるので、火炎が鎮火され易くなる。その結果、本実施形態によれば、より一層迅速に消火・防火することができる。
【００６２】
加えて、本実施形態では、エアバッグ６２が平面視でアングル状に形成されるため、レンズ１６の四方を取り囲む場合に比べて、エアバッグ６２を小さくすることができる。このため、エアバッグ６２の基布の面積を小さくすることができると共に、インフレータ４２の要求出力を小さくすることができる。従って、必要最小限のコストで済む。
【００６３】
〔第３実施形態〕
【００６４】
以下、図５〜図８を用いて、本発明に係る消火・防火装置の第３実施形態について説明する。なお、前述した第１実施形態等と同一構成部分については、同一番号を付してその説明を省略する。
【００６５】
これらの図に示されるように、この第３実施形態に係る消火・防火装置８０では、エアバッグ８２単独でレンジ１６の周囲を覆ってしまう点及びガスコンロ１８の下方をもエアバッグ８２で覆ってしまう点に特徴がある。
【００６６】
具体的に説明すると、図５及び図６に示されるように、レンジ区画防火壁としてのエアバッグ８２はレンジ１６を包囲可能な矩形筒体状に形成されており、消火・防火装置８０の非作動時には、レンジ１６或いはレンジ台１０の上端部に折り畳み状態で格納されている。また、図６及び図７に示されるように、エアバッグ８２が膨張展開したときの縦断面形状は第２実施形態の場合と同様に略Ｌ字形とされており、底部８２Ａ及び立ち上がり部８２Ｂを備えている。なお、レンジ１６の背面側には一方の壁１４が存在するため、フライパン７２の取っ手７２Ａが引っ掛かるといったことがないことから、底部８２Ａは形成されていない。また、エアバッグ８２は、立ち上がり部８２Ｂの両側部８２Ｂ’（図６参照）が重なり合うように折り畳まれている。
【００６７】
さらに、図８の模式図に示されるように、このエアバッグ８２では、三個のガスコンロ１８の貫通孔８４を一括して下から覆うようにレンジ面５４の下方にもエアバッグ８２の一部８２Ｃが配索されている。なお、エアバッグ８２の一部８２Ｃはエアバッグ８２の底部８２Ａと連通されている。
【００６８】
（作用・効果）
【００６９】
上記構成の消火・防火装置８０によっても、前述した第２実施形態と同様の作用・効果が得られる。
【００７０】
さらに、この実施形態では、ガスコンロ１８のための貫通孔８４から空気が流通し、火元に酸素が供給されるのを排除するため、すべてのガスコンロ１８の貫通孔８４をレンジ面５４の下方側からボウル状に覆うエアバッグ８２としたので、レンジ面５４に設けられた貫通孔８４から膨張展開したエアバッグ８２の内部への空気の流通が遮蔽される。このため、当該貫通孔８４からの酸素の供給が絶たれるので、火炎５０が鎮火され易くなる。その結果、本実施形態によれば、レンジ面５４に貫通孔８４が形成されている場合において、より一層迅速に消火・防火することができる。
【００７１】
〔上記実施形態の補足説明〕
【００７２】
なお、請求項１記載の本発明における「略包囲」とは、レンジ面を含む所定区画を周方向に完全に包囲する場合と、若干の隙間が形成されるものの実質的にはほぼ包囲している場合の両方を含む。第１実施形態及び第３実施形態は前者の例であり、第２実施形態はエアバッグ６２の立ち上がり部６２Ｂの両側部のうち磁石６８が設けられた部分の上下端付近は隙間ができると思われるため後者の例である。なお、第２実施形態において磁石６８が設けられていない部分についてはエアバッグ６２のバッグ膨張圧によって立ち上がり部６２Ｂの両側部が一方の壁１４及び他方の壁７０に圧接されるので、隙間は出来難い。
【００７３】
また、温度センサ２８について補足すると、温度センサ２８を使った消火器３２の作動制御には種々のものが適用可能である。例えば、レンジフード２０内に配設した温度センサ２８で検出された温度が何度のときには火炎５０の先端高さがどの程度の高さに達しているかを対応づけたデータをコントローラ３０に予め記憶させておき、温度センサ２８の検出結果と予め記憶されたデータとを比較することにより、火炎５０の先端高さを求めて、それに基づいて消火器３２を作動させてもよい。また例えば、温度センサ２８の検出結果が何度以上のときには、消火器３２を作動させるというプログラムにしてもよい。さらに、火炎５０の高さがある一定の高さ以上になると、温度センサ２８が反応し、消火器３２を作動させるようにしてもよい。
【図面の簡単な説明】
【００７４】
【図１】第１実施形態に係る消火・防火装置の全体構成を示す側面図である。
【図２】消火剤として泡状の消火剤を使った例を示す図１（Ｃ）に対応する側面図である。
【図３】第２実施形態に係る消火・防火装置の作動状態を示す平面図である。
【図４】図３に示される消火・防火装置の作動状態を示す側面図と正面図である。
【図５】第３実施形態に係る消火・防火装置の非作動状態を示す平面図である。
【図６】第３実施形態に係る消火・防火装置の作動状態を示す平面図である。
【図７】図６に示される消火・防火装置の作動状態を示す側面図と正面図である。
【図８】ガスコンロの貫通孔の下方をエアバッグの一部で覆った状態を示す概略縦断面図である。
【符号の説明】
【００７５】
１４    一方の壁
１６    レンジ
２２    天井面
２６    消火・防火装置
２８    温度センサ（火炎検知手段）
３０    コントローラ（制御手段）
３２    消火器
３４    火災検知器（煙検知手段）
３６    消火剤
３８    消火剤
４０    エアバッグ装置（防火壁形成手段）
４４    エアバッグ（レンジ区画防火壁）
４６    磁石
５０    火炎
５２    煙
５４    レンジ面
６０    消火・防火装置
６２    エアバッグ（レンジ区画防火壁）
６２Ａ  底部
６４    消火器（不活性ガス放出手段）
６６    不活性ガス
６８    磁石（第１の空気遮蔽手段）
８０    消火・防火装置
８２    エアバッグ（レンジ区画防火壁）
８２Ａ  底部
８２Ｃ  一部（第２の空気遮蔽手段）
８４    貫通孔
【図１】
2009172307.tif 000003
【図２】
2009172307.tif 000004
【図３】
2009172307.tif 000005
【図４】
2009172307.tif 000006
【図５】
2009172307.tif 000007
【図６】
2009172307.tif 000008
【図７】
2009172307.tif 000009
【図８】
2009172307.tif 000010